(57)【要約】【課題】冷蔵室の冷却が不用に妨げられることを防止し、冷凍室の冷却不足を解消することにより、冷蔵室および冷凍室の室温を的確に保持する冷蔵庫を提供することにある。【解決手段】冷蔵室４と冷凍室３を有する冷蔵庫本体１と、この本体の各貯蔵室開口部を開閉自在に閉塞するように設けた扉６と、前記冷蔵室４内に設けられ前記扉６の開閉動作と同期して点灯または消灯する庫内灯２４と、冷蔵室４内に設けられ冷蔵室４内温度を検知する温度センサ２３と、この温度センサ２３の検知温度に基づき運転制御される圧縮機１８と、圧縮機１８が所定時間以上停止したとき（Ｓ５）、または圧縮機１８の運転率が所定値より低いときに前記庫内灯２４を点灯させる（Ｓ６）制御手段とを備えた。【選択図】  図１
2004251501.tif 000002
【特許請求の範囲】
【請求項１】
少なくとも冷蔵室および冷凍室を有する冷蔵庫本体と、この本体の各貯蔵室開口部を開閉自在に閉塞するように設けた扉と、前記冷蔵室内に設けられ前記扉の開閉動作と同期して点灯または消灯する庫内灯と、前記冷蔵室内に設けられ冷蔵室内温度を検知する温度センサと、この温度センサの検知温度に基づき運転制御される圧縮機と、圧縮機が所定時間以上停止したとき、または圧縮機の運転率が所定値より低いときに前記庫内灯を点灯させる制御手段とを備えたことを特徴とする冷蔵庫。
【請求項２】
圧縮機の運転率は、運転中の１サイクルまたは所定の複数サイクルの運転時間と停止時間とから算出することを特徴とする請求項１に記載の冷蔵庫。
【請求項３】
冷蔵庫本体内の蒸発器の近傍に除霜ヒータを設け、この除霜ヒータの通電による除霜中は、圧縮機が停止しても庫内灯を点灯させないことを特徴とする請求項１または請求項２に記載の冷蔵庫。
【請求項４】
圧縮機の停止時間や運転率により庫内灯を点灯させた場合は、圧縮機の運転開始と同時に前記庫内灯を消灯させることを特徴とする請求項１ないし請求項３のいずれかに記載の冷蔵庫。
【請求項５】
圧縮機の停止時間や運転率により庫内灯を点灯させた場合は、圧縮機の運転開始または庫内灯点灯時から所定時間経過した後に、前記庫内灯を消灯させることを特徴とする請求項１ないし請求項３のいずれかに記載の冷蔵庫。
【請求項６】
温度センサを庫内灯の発熱による影響を直接受けないように配設し、圧縮機の停止時間や運転率により庫内灯を点灯させた場合は、圧縮機が運転と停止の１サイクルまたは所定の複数サイクルを終え、再び圧縮機が運転されるときに、前記庫内灯を消灯させることを特徴とする請求項１ないし請求項３のいずれかに記載の冷蔵庫。
【請求項７】
圧縮機の停止時間や運転率により庫内灯を点灯させた場合は、その後開扉され、再び閉扉されたことを検知したときに、庫内灯を消灯させることを特徴とする請求項５または請求項６のいずれかに記載の冷蔵庫。
【請求項８】
圧縮機の停止時間や運転率により庫内灯を点灯させた場合は、庫内に冷気を送風する冷却ファンを運転させることを特徴とする請求項１ないし請求項７のいずれかに記載の冷蔵庫。
【請求項９】
冷凍室に設けられ、製氷皿を反転させて離氷する自動製氷装置と、冷蔵室に設けられ、給水タンクの水を製氷皿に給水する給水装置とを備え、圧縮機が所定時間以上停止したとき、または圧縮機の運転率が低いときに庫内灯を点灯させた場合には、給水装置による給水動作を行わないことを特徴とする請求項１ないし請求項８のいずれかに記載の冷蔵庫。
【請求項１０】
扉の開閉動作と同期して点灯する庫内灯と、この庫内灯の近傍に配設され、本体内の温度を検知する温度センサと、本体内の設定温度帯を調節する調節器と、この設定温度帯および前記温度センサの検知温度に基づき運転制御される圧縮機とを有する冷蔵庫の制御方法において、前記圧縮機の停止時間を計測する停止時間計測ステップと、この停止時間計測ステップで計測された停止時間が予め設定された所定時間以上か否かを判定する時間判定ステップと、この時間判定ステップで停止時間が所定時間以上となった場合に、庫内灯を点灯させる庫内灯点灯ステップと、この庫内灯点灯ステップで庫内灯を点灯させた後、前記温度センサの検知温度が前記設定温度帯以下か否かを判定する温度判定ステップと、この温度判定ステップで、温度センサの検知温度が設定温度以上となった場合に、圧縮機を運転させる運転ステップと、この運転ステップで圧縮機を運転させると同時に庫内灯を消灯させる庫内灯消灯ステップとを備えたことを特徴とする冷蔵庫の制御方法。
【発明の詳細な説明】
【０００１】
【発明の属する技術分野】
本発明は、低外気温時などにおける冷蔵庫の温度補償制御に関する。
【０００２】
【従来の技術】
従来、２温度式冷凍冷蔵庫では、冷蔵室のみに設けた温度センサに基づき、圧縮機を運転または停止させて冷蔵室および冷凍室の温度制御を行っているものがある。この場合、図１４に示すように、冷蔵室の設定温度帯に合わせて冷凍室も冷却されるようになっている。
具体的には、冷蔵室の下限温度、例えば１℃に達すると、圧縮機を停止（この場合、２０分程度）させて、冷蔵室の上限温度、例えば５℃に達すると、圧縮機を運転（この場合、２０分程度）させることにより、冷蔵室を平均的に設定温度、例えば３℃に保持している。冷凍室も同様に圧縮機の動作に合わせて、ここでは−１８℃以下になるように冷却制御されている。
【０００３】
しかし冷蔵室は、図１５に示すように低外気温、例えば１５℃より下回ると、温度上昇し難くなり圧縮機の停止時間、ここでは４０分〜１時間と長くなる。また圧縮機を運転させると短時間で下限温度に達するため、圧縮機の運転時間、ここでは５〜１０分と短くなる。
この場合、冷蔵室は設定温度帯に保持されるが、冷凍室は、短い圧縮機の運転時間では所定温度まで低下しないため、圧縮機の運転と停止が繰り返される度に冷凍室の最上点温度または最下点温度が除々に（ここではｔｘ，ｔｙ温度づつ）上昇していくことになる。したがって冷凍室は高温化し、悪化すると例えば−１０℃程度まで上昇し冷凍室の冷却不足が生じるようになる。
【０００４】
このため、庫内灯を発熱源として利用し、低外気温時は庫内灯を点灯させることにより、冷蔵室の室温を保持したまま圧縮機の運転率を増すことで、冷凍室の冷却時間を増加させて庫内温度の適性化を図る温度補償制御（例えば、特許文献１参照）が考えられている。
【０００５】
【特許文献１】
特開平５−９３５６８号公報（段落［０００２］、［０００３］、［００１５］〜［００１７］、図１）
【０００６】
【発明が解決しようとする課題】
しかしながら上述した温度補償制御では、低外気温時おいて、常に庫内灯を点灯させているため、例えば、図１６に示すように、ｔ１時に冷蔵室が開扉されたり、比較的高温な食品が投入されて冷蔵室温が上昇した場合であっても、常時、庫内灯は点灯しているため冷却は緩慢になり、庫内灯の発熱によって冷蔵室の冷却が妨げられることになる。
本発明は上記事情を考慮してなされたものであり、その目的は、冷蔵室の冷却が不用に妨げられることを防止し、冷凍室の冷却不足を解消することにより、冷蔵室および冷凍室の室温を的確に保持する冷蔵庫を提供することにある。
【０００７】
【課題を解決するための手段】
本発明は、少なくとも冷蔵室および冷凍室を有する冷蔵庫本体と、この本体の各貯蔵室開口部を開閉自在に閉塞するように設けた扉と、前記冷蔵室内に設けられ前記扉の開閉動作と同期して点灯または消灯する庫内灯と、前記冷蔵室内に設けられ冷蔵室内温度を検知する温度センサと、この温度センサの検知温度に基づき運転制御される圧縮機と、圧縮機が所定時間以上停止したとき、または圧縮機の運転率が所定値より低いときに前記庫内灯を点灯させる制御手段とを備えたことを特徴とするものである。
【０００８】
低外気温時に冷蔵室は温度上昇し難くなるため、圧縮機の停止時間が長くなり、運転率は低くなる。このようなときに冷凍室の冷却不足が懸念されるが、本発明の構成によれば、冷蔵庫の運転状況、ここでは圧縮機の運転状態に基づいて庫内灯を点灯させることにより、温度センサの検知温度を擬似的に、または冷蔵室全体を加温しながら圧縮機の運転開始温度に到達させて、強制的に圧縮機の運転を開始させるため、冷凍室の冷却不足が生じるときにのみ庫内灯を点灯させて、冷蔵室の冷却が不用に妨げられることを防止することができ、もって、冷凍室の冷却不足を解消させることができ、冷蔵室および冷凍室の室温を的確に保持することができる。
【０００９】
【発明の実施の形態】
以下、本発明の一実施形態について説明する。図４は、冷蔵庫本体１を示す斜視図である。図５は、冷蔵庫本体１を示す縦断面図である。図４、図５において、冷蔵庫本体１は、前面が開口した断熱箱体２内に、断熱仕切壁７により上下に区画された冷凍室３および冷蔵室４を設けており、各室３，４の開口部には、ヒンジ開閉式の冷凍室扉５、冷蔵室扉６をそれぞれ開閉自在に取付けている。
【００１０】
冷凍室３の背面には冷却室９を設けており、この冷却室９には、冷気を生成する蒸発器１１、冷気を庫内に送風する冷却ファン１０、蒸発器１１を除霜する除霜ヒータ１２などを設けている。断熱仕切壁７内部には、冷却室９の冷気が冷蔵室４に流れるように送風路１４を設けており、冷蔵室４の背面には庫内に吹出された冷気を冷却室９に戻すリターンダクト１５を形成している。
冷蔵庫背面底部には、圧縮機１８、後述する制御装置３０、外気温センサ２５などを配設した機械室１７を設けており、圧縮機１８が運転すると、蒸発器１１に冷媒が流れて庫内を冷却するようになっている。
【００１１】
冷蔵室４の右側上部には、ユニットケース２０を取付けている。図６は、このユニットケースの分解図を示すが、ユニットケース２０には、ドアスイッチ２１、設定温度帯を調節する調節器２２、温度センサ２３、庫内灯２４を設けており、リード線、コネクタなどをこのユニットケース２０内に収納することにより、各部品の取付け、配線などを一つに纏めることができるので、取付け作業等が簡単に行えるようになっている。
【００１２】
ドアスイッチ２１は、前後に摺動可能でバネなどにより扉側に付勢されている突起部２１ａを設けており、ユニットケース２０の前面に突起部２１ａが突出するように設けられている。冷蔵室扉６が、閉扉されると、ビード部６ａがこの突起部２１ａを押圧して閉扉されたことを検知し、開扉されると、押圧されていた突起部２１ａが解放して、開扉されたことを検知するようになっている。
調節器２２は、ユニットケース２０の前面に回動可能に設けられたノブ２２ｂと、このノブ２２ｂの停止位置によって抵抗値が可変するサーモ２２ａとから形成されており、ユーザが調節器２２を、例えば弱、中、強と調節することにより、設定温度帯が可変されるようになっている。
【００１３】
設定温度帯とは、上限値と下限値を有し、その範囲内において冷蔵室４の室温が平均温度に維持されるよう圧縮機１８の動作温度を示している。具体的には、弱設定で、例えば０℃〜４℃、中設定で、例えば１℃〜５℃、強設定で、例えば２℃〜６℃と予めその範囲が定められており、温度センサ２３の検知温度が、調節器２２で調節された設定温度の上限値に達すると圧縮機１８を運転させて、下限値に至ると圧縮機１８を停止させる動作温度をなしている。
【００１４】
温度センサ２３は、サーモスタットなどから構成されており、冷蔵室４温度を検知するようになっており、庫内灯２４は、ソケット２４ａに電球２４ｂが嵌合されて形成されている。この場合、温度センサ２３は庫内灯２４と近接した位置に配設され、その間に断熱材などを設けていないため、庫内灯２４の発熱による温度影響を直接受けるようになっている。
なお、詳細は後述するが庫内灯２４の配設を冷蔵室４の背面壁、天井面に設けるなど温度センサ２３と庫内灯２４間の距離を離して配設し、温度センサ２３を断熱材で覆う、または温度センサ２３と庫内灯２４との間に断熱仕切壁は設けるなどして、庫内灯２４の発熱による影響を直接受けないように配設することも可能である。
【００１５】
図７は、制御回路のブロック図を示している。この図において、ドアスイッチ２１の開閉信号、調節器２２の設定温度帯、温度センサ２３、外気温センサ２５の検知温度を制御装置３０に入力するようになっている。
制御装置３０は、上記入力信号に基づき各電気部品の運転制御を行っている。
圧縮機１８は、予め制御装置３０に設定された複数の設定温度帯から、調節器２２により一つの設定温度帯（ここでは、中設定）が選択され、この設定温度帯に保持されるように運転と停止を繰り返すようになっている。
具体的には、圧縮機１８が停止している場合、温度センサ２３の検知温度が、設定温度帯の上限値、ここでは５℃以上となると、庫内温度が高くなったと判断して圧縮機１８を駆動させて、冷却運転を開始する。一方、圧縮機１８が運転している場合には、温度センサ２３の検知温度が、設定温度帯の下限値、ここでは１℃以下となると、庫内温度が低くなったと判断して、圧縮機１８を停止させて、冷却運転を終了する。
【００１６】
冷却ファン１０は、圧縮機１８が運転されると運転し、停止されると停止するように圧縮機１８と同期運転をおこなうようになっており、また、ドアスイッチ２１が開扉を検知した場合には、冷気リークの防止のため停止する。
【００１７】
除霜ヒータ１２は、制御装置３０に内蔵された圧縮機１８の運転時間を計測する運転タイマ３１の累積時間が、例えば８時間に至ると、冷却運転を停止させて、通電するようになっており、このとき蒸発器１１の除霜を行う。その後、蒸発器１１の温度が例えば、３℃以上になったときには、その通電を停止して冷却運転に復帰するようになっている。
【００１８】
庫内灯２４は、ドアスイッチ２１の開扉信号に基づいて点灯し、閉扉信号により消灯するようになっている。
【００１９】
このような構成により、圧縮機１８の駆動とともに蒸発器１１により生成された冷気の一部は、冷却ファン１０により冷凍室３に吹出された後、冷却室９に戻されて冷凍室３が冷却されるようになっている。また、他の冷気は送風路１４より冷蔵室４に流された後、リターンダクト１５を介して冷却室９に戻されて冷蔵室４が冷却されるようになっている。
温度センサ２３の検知温度が設定温度帯の下限値を超えた場合には、冷蔵室４が過冷却となるため、圧縮機１８および冷却ファン１０の運転を停止させて冷却運転を終了し、庫内温度が設定温度帯内に保持されるようになっている。
このとき冷凍室３は所定の冷凍温度帯、（ここでは、−１８℃〜−２２℃）に保持されるよう冷気流量構造を設計している。すなわち冷蔵室の室温で冷蔵室および冷凍室の温度制御を行っている。
【００２０】
さて、制御装置３０には、庫内灯２４の点灯時間を計測する庫内灯タイマ３６および圧縮機１８の停止時間を計測する停止タイマ３２を内蔵している。
この停止タイマ３２と前記運転タイマ３１により計測された時間は、書き込み装置３３によって、記憶装置３４に書き込まれるようになっている。
具体的には、記憶装置３４には圧縮機１８の運転状態を記憶させておく複数（ここでは、３つ）のアドレスを有しており、１つのアドレス内には圧縮機１８の１サイクルの運転時間、すなわち運転時間と停止時間を、書き込み装置３３によって書き込まれる。圧縮機１８が停止状態から運転が開始されると、次のアドレスに運転時間を書き込んでいくとともに、圧縮機１８が停止されると引続いて同じアドレス内に停止時間を書き込んでいき、これを１サイクルの運転状態として記憶装置３４に記憶させておく。全てのアドレスの書き込みが終了した場合には、最後に書き込みをしたアドレスに上書きをするようになっており、現状の運転状態および直前の圧縮機１８の運転状態を認識できるようになっている。
【００２１】
同じく制御装置３０に内蔵された運転率算出装置３５は、圧縮機１８の運転率を算出するものであるが、アドレス内に記憶されている運転状態および現在書込み中の運転状態から、トータルの運転時間と停止時間を抽出して、平均運転率を算出するようになっている。
このような構成により、突発的に過負荷が生じても、圧縮機１８の動向を的確に把握することができ、正確な運転率を算出することができる。
また、書き込み中の運転状態のみで、運転率を算出することは可能であり、かかる場合には、圧縮機１８の運転状態並びに庫内の冷却状態を迅速に把握することができる。
なお、圧縮機１８がインバータ制御によるものである場合には、低速回転の場合にも停止時間とみなして運転率を算出することも可能であり、回転数および停止時間に基づいて運転率を算出してもよい。
【００２２】
次に、第１の実施の形態である本発明の制御手段の動作について図１のフローチャートに基づいて説明する。
ステップ１では、圧縮機１８が運転中であれば冷却運転を行っている最中なので、強制的に冷凍室３を冷却する必要がなく、圧縮機１８が停止しているか否かを検出し（Ｓ１）、停止していればステップ２に進む。
【００２３】
ステップ２では、除霜運転中であると圧縮機１８を停止させているが、このような場合に庫内灯２４を点灯してしまうと、過剰に庫内温度を上昇させて、却って食品に悪影響を及ぼすことになるため、除霜中か否かを検出し（Ｓ２）、除霜中でなければ、ステップ３に進む。
ステップ３では、停止タイマ３２により停止時間が計測されているか否かを検出し（Ｓ３）、計測中であればステップ５に進み、計測がされていなければ、ステップ１，２より圧縮機１８の停止時間を計測するタイミングであると判断してステップ４進み、停止タイマ３２をスタートさせて（Ｓ４）、ステップ５に進む。
【００２４】
ステップ５では、圧縮機１８の停止時間が所定時間、例えば３０分以上になったか否かを検出し、３０分未満であればステップ１に戻り、３０分以上であればステップ６に進み、庫内灯２４を点灯させる（Ｓ６）。
本実施の形態において、庫内灯２４を点灯させるタイミング、すなわち圧縮機１８の停止時間を３０分としたのは、冷凍室３が冷却不足に至る前、またはその後の冷却によって冷却不足を解消することができるような時間を定めたものであり、冷蔵庫の形態、冷凍能力などによって適宜変更可能であることは言うまでもない。
【００２５】
ステップ７では、冷蔵室４の設定温度帯の上限値、ここでは５℃より温度センサ２３の検知温度が高くなったか否かを検出し（Ｓ７）、高くなった場合には、冷凍室３の冷却が必要であると判断して、ステップ８において圧縮機１８を運転させる（Ｓ８）。
ステップ９では、圧縮機１８の運転が開始されたため、停止タイマ３２を停止させて（Ｓ９）、次のアドレスに圧縮機１８の運転時間を書き込むために、運転タイマ３１を駆動させる。
【００２６】
ステップ１０では、冷凍室３の冷却不足を補うため、擬似的に温度センサ２３の検知温度を上昇させて、圧縮機１８の運転を開始させることができたため、庫内灯２４を停止させて（Ｓ１０）、ステップ１に戻りこれを繰り返すようになっている。
ここで、温度センサ２３が庫内灯２４の発熱による直接の影響を受ける冷蔵庫の形態における作用について説明する。本実施の形態の動作温度グラフ図８に示すように、低外気温時など、冷蔵室４の庫内温度が上昇し難いときには、圧縮機１８が長時間にわたって停止することになり、冷凍室３は冷蔵室４と比較して急激に温度上昇する。このとき、圧縮機１８が長時間停止しても冷凍室温を設定温度帯に保持できるように、所定時間以上停止している場合に、ｔａのタイミングで、庫内灯２４を点灯させる。
【００２７】
この庫内灯２４の点灯の意味するところは、圧縮機１８の停止時、すなわち冷蔵室４の室温が設定温度帯内またはそれ以下であっても、庫内灯２４の点灯により温度センサ２３の検知温度を擬似的に上限値になるまで上昇させるものである。
したがって庫内灯２４を点灯させてからｔｂに至るまで、冷蔵室４内温度は急激に上昇して、設定温度帯の上限値に達する。すると、圧縮機１８は運転されることになり、冷却ファン１０の冷気の導入によって冷凍室３を冷却し、冷却不足を解消することができ、もって冷凍室３の室温を安定して保持することができる。
【００２８】
この場合、温度センサ２３の検知温度は擬似的に、すなわち局部的に温度上昇させられた温度であり、冷蔵室４空間の温度は検知温度よりも低い状態であるため、過冷却になることが懸念されるが、庫内灯２４を消灯させると数分（例えば、２〜５分）で、温度センサ２３と冷蔵室４空間の温度が一致する。よって、温度センサ２３の検知温度が設定温度帯の下限値に至るとき、すなわち冷蔵室４の温度が下限値に至るときに、圧縮機１８を停止させるため、冷蔵室４が過冷却となることはなく、設定温度帯内に確実に維持することができる。
【００２９】
次に、温度センサ２３が庫内灯２４の発熱による直接の影響を受けない冷蔵庫形態の作用について説明する。直接の影響を受けないとは、庫内灯２４の発熱によって局部的に温度上昇しても、その局部的な温度影響を受けることなく冷蔵室空間内の温度を検知する場合であって、上述したが温度センサ２３と庫内灯２４間の距離を離して配設したり、温度センサ２３と庫内灯２４間に断熱仕切壁を設けたり、温度センサ２３を断熱材により覆うなどして配設していることを意味している。
【００３０】
この場合、図９の温度変動グラフに示すように、温度センサ２３の検知温度と冷蔵室４の室内温度は一致しているため、冷蔵室温は、確実に設定温度範囲内に維持される。また、圧縮機１８の停止時間などによりｔａ’のタイミングで庫内灯２４を点灯させた場合、その発熱により冷蔵室４全体が加温されているため、庫内灯２４をｔｂ’のタイミングで消灯させても、設定温度帯の上限値から冷却を開始させることができるとともに冷蔵室４の冷却速度を鈍化させることができる。
【００３１】
よって、温度センサ２３が庫内灯２４の影響を直接受ける場合よりも冷却時間を長く確保することができ、もって冷凍室３の冷却不足を十分補うことができる。この場合、冷却時間を長く確保することができるため、冷却能力と内容積との関係により冷凍室３の冷却時間が比較的長く要する場合に有効である。
上記構成によれば、低外気温時に冷凍室３の冷却不足が生じやすくなっても、圧縮機１８が所定時間以上停止したときに庫内灯２４を点灯させる制御手段、すなわち制御装置３０を備えたことにより、温度センサ２３の検知温度を擬似的に、または冷蔵室４全体を加温しながら設定温度帯の上限値に到達させて、強制的に圧縮機１８の運転を開始させることができるため、冷凍室３の冷却不足を解消することができる。
【００３２】
すなわち、冷凍室３の冷却不足が生じるときにのみ庫内灯２４を点灯させて圧縮機１８の運転率を増加させることができるため、冷蔵室の冷却が不用に妨げられることを防止することができ、もって、冷凍室の冷却不足を解消させることができ、冷蔵室および冷凍室の室温を的確に保持することができる。また、冷凍室３の冷却不足が生じている場合のみに庫内灯２４を点灯させるため、庫内灯２４の点灯を必要最小限に抑えることができ、無駄な電力を消費することがない。
さらに、圧縮機１８の運転制御は、少なくとも調節器２２で設定された設定温度帯と冷蔵室２４内に設けられた温度センサ２３の検知温度のみに基づいて行うことができるため、外気温センサによる温度判定や外気温が低い場合に設定温度帯を下げるなど複雑な制御方法を必要とせず、制御装置３０自体も簡素にすることができる。
【００３３】
なお、従来技術では、圧縮機が所定時間停止したときに温度補償用ヒータを点灯させて、冷凍室の冷却不足を解消する温度補償制御方法が考えられているが、かかる構成では別途、温度補償ヒータが必要になるためコストアップとなっており、部品点数も多いため組立作業も煩雑となっていた。また、温度補償用ヒータの発熱量（例えば、２Ｗ）は、庫内灯２４の発熱量（例えば、１０Ｗ）と比較しては小さいため、冷凍室の冷却不足を迅速に解消することはできなかった。さらに、温度補償ヒータと庫内灯２４との発熱量の相違し、庫内灯２４の配設位置や冷蔵庫１の内容積などにより、その制御方法も異なってくるため、庫内灯２４を単に温度補償ヒータの替わりに転用するだけでは冷蔵室温および冷凍室温を安定して保持することができない。
【００３４】
しかし、本実施の形態によれば、温度補償用ヒータを使用しなくとも冷凍室の冷却不足を解消する温度補償制御を行うことができるため、コストアップとなることを防止し、部品点数を減少させて、組立作業の効率を向上させることができる。また、発熱量の大きい庫内灯２４を点灯させることにより、迅速に温度センサ２３の検知温度を上昇させることができるため、圧縮機１８の起動を迅速に促して冷凍室３の冷却不足を解消させることができる。
【００３５】
一方、圧縮機１８の停止時間により庫内灯２４を点灯させた場合に、圧縮機１８の運転開始と同時に庫内灯２４を消灯させることにより、点灯時間を少なくさせることができ、もって冷蔵室４の冷却が不用に妨げられることを防止することができるとともに、庫内灯２４の消費電力を極力抑えることができる。
温度センサ２３が庫内灯２４の発熱の影響を直接受ける場合には、温度センサ２３の検知温度は実際の冷蔵室４全体の温度よりも高い温度を検知しており、圧縮機１８が駆動される時点においては冷蔵室４全体は温められていないため、配置位置を遠くした場合よりも短い時間で設定温度帯の下限値まで冷却されることになるが、内容積と冷却能力との関係により冷凍室３が短い時間で冷却される冷蔵庫の形態においては、冷却時間が短くとも冷凍室３の冷却不足は生じることなく冷凍室３の冷却不足を補うことができる。
【００３６】
温度センサ２３が庫内灯２４の発熱の影響を直接受けない場合には、庫内灯２４の点灯により冷蔵室４全体が温度上昇するため、冷却時における冷蔵室４の温度下降も鈍くなり、冷却時間を長く確保することができ、冷凍室３の冷却不足を補うことができる。
また、除霜ヒータ１２の通電による除霜中は、圧縮機１８が停止しても庫内灯２４を点灯させないように制御しているため、過剰に庫内温度が上昇することを防止し、冷蔵室４の冷却が不用に妨げられることを防止することができるとともに、冷蔵室４および冷凍室３の室温を的確に保持することができる。
なお、本実施の形態の説明では、圧縮機１８の停止時間が所定時間以上となったときに、庫内灯２４を点灯させたが、後述するように圧縮機１８の運転率が低い場合において点灯させても、同効果を奏する。
【００３７】
次に、第２の実施の形態である本発明の制御手段の動作について図２のフローチャートに基づいて説明する。
ステップ２１では、冷凍室３の冷却不足を補うための制御手段は、圧縮機１８が停止していることが前提であるため、圧縮機１８が運転されているか否かについて検出し（Ｓ２１）、運転していればステップ２２に進み、停止していればステップ２４に進む。
【００３８】
ステップ２２では、圧縮機１８の運転が開始された場合には、運転状態を記憶装置３４に新たに書き込むことを始めなければならないため、圧縮機１８の運転時間を計測中であるか否かを検出し（Ｓ２２）、計測中でなければ、停止状態から新たに運転が開始されたと判断して、次、または新しいアドレスに運転時間の書き込みを開始する（Ｓ２３）。
ステップ２４では、ステップ２２とは逆に圧縮機１８が停止された場合には、運転状態を記憶装置３４に新たなアドレスに書き込むことを始めなければならないため、圧縮機１８の停止時間を計測中であるか否かを検出し（Ｓ２４）、計測中でなければ、運転状態から停止されたと判断して、引続き同じアドレス内に停止時間の書き込みを開始する（Ｓ２５）。
【００３９】
ステップ２６では、圧縮機１８の運転率が低い場合、例えば１０％未満か否かを検出する（Ｓ２６）。圧縮機１８の運転率が低いとき、すなわち圧縮機１８の停止時間が長い場合には、低外気温であっても外気と冷凍室内温度との温度差は大きく、冷凍室温が所定温度、例えば、−１０℃に上昇することになる。
したがって、圧縮機１８の運転率が低い場合には、冷凍室３が冷却不足であると判断してステップ２８に進み、圧縮機１８の運転率が低くない場合には、ステップ２７に進む。
【００４０】
なお、運転率の低い場合を１０％と定めたのは、冷凍室４が冷却不足とならないような圧縮機１８の運転率を実験等により算出した結果であり、冷凍室３と冷蔵室４の内容積比率、冷却能力などによって、適宜、最適値に変更されるものであることは言うまでもない。
ステップ２７では、圧縮機１８の運転率が高い場合でも圧縮機１８の停止時間が長いと冷凍室３が冷却不足となる可能性があるため、圧縮機１８の停止時間を検出し（Ｓ２７）、第１の実施の形態で説明したように所定時間、例えば３０分以上経過している場合には、冷却不足であると判断してステップ２８に進み、経過していなければステップ２１に戻る。なおステップ２６とステップ２７はアンド条件としてもよい。
【００４１】
ステップ２８では、冷凍室３が冷却不足であると判断されたので、圧縮機１８を駆動させるべく、図１０に示すようにｔｃのタイミングで庫内灯２４を点灯し（Ｓ２８）、温度センサ２３の検知温度を上昇させる。
ステップ２９では、庫内灯２４が点灯すると同時に、庫内灯タイマ３６を起動させて、庫内灯２４の点灯時間を計測する（Ｓ２９）。
ステップ３０では、圧縮機１８運転の判断のために、温度センサ２３の検知温度を検出し（Ｓ３０）、設定温度帯の上限値である５℃以上であれば、圧縮機１８の運転開始温度に達したためステップ３１に進み、圧縮機１８を駆動させる（Ｓ３１）。
【００４２】
庫内灯２４の発熱量が大きい場合や、庫内灯２４と温度センサ２３とが近接して配置されているなど、温度センサ２３が庫内灯２４の発熱による影響を直接受ける場合には、温度センサ２３は庫内灯２４近傍の局部的に加温された温度を検知するため、冷蔵室４全体の室温が温度センサ２３の検知温度まで上昇しているわけではない。すなわち、擬似的に温度センサ２３の検知温度が上昇していることになる。
したがって、第１の実施の形態で説明したように、圧縮機１８の駆動後においては庫内灯２４を消灯してもよいが、冷却が開始されるときの冷蔵室温は設定温度帯の上限値に達していないため、この冷却よって冷蔵室温は即座に下限値に達することとなり冷却時間を十分確保できない場合が生じる。
【００４３】
また、圧縮機１８が停止するまで庫内灯２４を点灯させておくと、温度センサ２３の検知温度が下限値を検知したときには、冷蔵室４全体の温度は下限値を下回っていることになり、貯蔵した食品が凍結する可能性もある。
そこでステップ３２では、庫内灯２４の点灯時間が所定時間、ここでは１５分経過したか否かを検出し（Ｓ３２）、１５分経過していれば、庫内の温度補償は十分であると判断して、ステップ３４に進み庫内灯２４を消灯する（Ｓ３４）。一方、１５分を経過していない場合には、庫内が温度補償されていないと判断してステップ３３に進む。
【００４４】
本実施の形態において、庫内灯２４を消灯させるタイミング、すなわち庫内灯２４の点灯時間を１５分としたのは、冷凍室３の冷却不足時に圧縮機１８を強制的に駆動させるべく温度センサ２３の検知温度が上限値に到達するのに十分な時間であって、その後圧縮機１８が運転されても過冷却とならないよう温度センサ２３の検知温度ではなく冷蔵室温が下限値に達するまでの間で、冷凍室３の冷却不足を補うために必要な冷却時間を、実験などによって得た結果である。したがって、冷蔵庫の形態、冷凍能力などによって適宜変更可能であることは言うまでもない。
【００４５】
ステップ３３では、圧縮機１８の運転時間が所定時間、ここでは１０分以上か否かを検出し（Ｓ３３）、１０分以上であれば、長時間点灯していると判断してステップ３４に進み、庫内灯２４を消灯する（Ｓ３４）。１０分未満であれば、ステップ３２に戻る。
本実施の形態において、庫内灯２４を消灯させるタイミング、すなわち圧縮機１８の運転時間を１０分としたのは、ステップ３２で説明したようにように強制的に冷却運転を開始させても過冷却となることなく、冷凍室３の冷却不足を補うために必要な冷却時間を実験などにより得た結果である。ここで、圧縮機１８の運転時間を庫内灯２４の点灯時間よりも短く設定しているのは、庫内灯２４の先に点灯しているためであり、ほぼ同時期に庫内灯２４を消灯させるタイミングとさせるためである。
なお、ステップ３２，３３については、冷蔵庫の形態等によっては同作用を有するため、いずれか一方のみの条件であっても、また、アンド条件としてもよい。
【００４６】
ステップ３５では、庫内灯２４を消灯したので庫内灯タイマ３６をリセットし（Ｓ３５）、ステップ２１に戻り上記制御を繰り返すようになっている。
ここで、温度センサ２３と庫内灯２４とが近接して配設された本実施の形態の動作温度を示した図１０に基づいて上記構成の作用について説明する。
【００４７】
ｔｃのタイミング、すなわち圧縮機１８が所定時間以上停止、または低運転率に至ったときに、庫内灯２４を点灯させると、温度センサ２３の検知温度は急激に上昇してｔｄのタイミングで圧縮機１８が駆動される。
このとき庫内灯２４は連続して点灯しているため、圧縮機１８の駆動後においても若干温度上昇するが、緩やかに温度下降を始める。そして圧縮機１８の運転時間または庫内灯２４の点灯時間が所定時間に達すると、ｔｅのタイミングで庫内灯２４を消灯させると、発熱源がなくなるため、その後急激に温度下降を始める。
【００４８】
冷蔵室温度としては、ｔｃのタイミングで庫内灯２４が点灯されるため、温度上昇するが、温度センサ２３の検知温度は庫内灯２４の近傍の温度であり、ｔｄ時においても上限温度に達しない。
その後、圧縮機１８が運転されて冷却が開始されても庫内灯２４は点灯しているため、その温度下降は緩やかであるが、ｔｅのタイミングにおいて消灯されると急激に温度下降する。このとき、熱源がなくなった温度センサ２３の検知温度は、冷蔵室温が下限値に達するまでに一致する。
【００４９】
一方、冷凍室３においては、冷却不足に至る前のｔｄのタイミングで、圧縮機１８が駆動され、温度下降する。また、内容積が大きいなど冷凍室３が冷えにくい形態であっても、庫内灯２４の点灯による冷蔵室４の冷却速度の鈍化によって圧縮機の運転時間がｔｄ〜ｔｅと長く運転することになるため、ｔｅのタイミングにおいて消灯しても、冷凍室温を下降させることができる。
したがって、冷凍室３の冷却不足を解消することができるとともに、確実に冷蔵室４を設定温度範囲内に保持することができる。
【００５０】
上述したように温度センサ２３が庫内灯２４の発熱の影響を直接受けている場合に、庫内灯２４点灯、または圧縮機１８の駆動から所定時間経過するまでは庫内灯２４を点灯させているため、その発熱により冷蔵室４の冷却速度を鈍化させることで、圧縮機１８の運転時間を長くすることができ、冷却時間の増加によって冷凍室３の冷却不足を解消することができる。
また、冷蔵室温が下限値に達する前までに、圧縮機１８の運転時間または庫内灯２４の点灯時間により庫内灯２４を消灯させることにより、冷蔵室４が過冷却となることを防止することができる。
また、極力、庫内灯２４の点灯時間を少なくすることができるため、冷蔵室４の冷却が不用に妨げられることを防止することができるとともに、庫内灯２４の消費電力を必要最小限に抑えることができる。
【００５１】
次に、温度センサ２３が庫内灯２４の発熱の影響を直接受けない場合における本実施の形態の動作温度を示した図１１に基づいて上記構成の作用について説明する。
ｔｃ’のタイミング、すなわち圧縮機１８が所定時間以上停止、または低運転率に至ったときに、庫内灯２４を点灯させると、温度センサ２３の検知温度は急激に上昇してｔｄ’のタイミングで圧縮機１８が駆動される。このとき温度センサ２３は庫内灯２４の発熱の影響を直接受けていないため、冷蔵室温と同化しており、庫内灯２４を近接配置させた場合よりも温度上昇速度は緩やかである。
【００５２】
そして圧縮機１８の運転時間または庫内灯２４の点灯時間が所定時間に達すると、ｔｅ’のタイミングで庫内灯２４を消灯させると、発熱源がなくなるため、その後急激に温度下降を始める。
この場合、冷蔵室全体が上限値に達してから冷却が開始されているとともに、庫内全体が加温されているため、庫内灯２４を近接配置した形態よりも、ｔｄ’〜ｔｅ’までの時間、すなわち圧縮機１８の駆動から温度センサ２３の検知温度が下限値に至るまでの時間が長くなる。
【００５３】
また、庫内灯２４の点灯の有無に拘らず、温度センサ２３の検知温度と冷蔵室内空間の温度は一致しているため、温度センサ２３の検知温度が下限値に到ったときに、冷蔵室４が過冷却となることはない。
したがって、庫内灯２４と温度センサ２３間の距離を離して配設した場合に、庫内灯２４点灯、または圧縮機１８の駆動から所定時間経過するまでは庫内灯２４を点灯させているため、近接配設した効果の他に温度センサ２３の検知温度は常に冷蔵室温を表しており、庫内灯２４の点灯の有無によらず確実に冷蔵室４を設定温度内に維持することができる。
【００５４】
この場合、冷蔵室４の過冷却の問題はなく、温度センサ２３と庫内灯２４を近接させた場合よりも、さらに庫内灯２４の点灯時間を長く、すなわち冷却時間を長くすることが可能であり、特に冷凍室３が冷えにくい形態などには冷却不足を十分補うことができ有効である。
なお、温度センサ２３が故障した場合などには、圧縮機１８が起動されずに庫内灯２４が恒久的に点灯される恐れがあるため、ステップ３２の庫内灯点灯時間の検出を、圧縮機１８の起動前に行うことにより、長時間点灯を防止することもできる。
【００５５】
また、圧縮機１８の運転率は、運転中の１サイクルまたは所定の複数サイクルの運転時間と停止時間とから算出しているため、１サイクルの場合には、冷却運転の現状、つまり冷凍室３の冷却不足な状態を迅速に検知することができるとともに、複数サイクルの場合には、冷却状態の平均的な動向を検知することができるため、誤検知を防止することができ、もって冷蔵室４および冷凍室３の庫内温度を安定して保持することができる。
【００５６】
次に、第３の実施の形態である本発明の制御手段の動作について図３のフローチャートに基づいて説明する。なお、ステップ２１〜２８については、上述した第２の実施の形態と同構成であるため、その説明は省略する。
通常、冷蔵室扉６が開扉されると外気が庫内に侵入し庫内温度が１℃〜２℃上昇する。
ステップ４０では、庫内灯２４点灯後に、開扉されたか否かを検出し（Ｓ４０）、開扉されなければステップ４１に進み、開扉されたことを検出すればステップ４５に進む。
【００５７】
ステップ４５では、閉扉されたか否かを検出し（Ｓ４５）、閉扉されなければステップ４１に進み、閉扉されればステップ４６に進み、庫内灯２４を消灯する（Ｓ４６）。
この場合、動作温度グラフ図１２に示すように、ｔｆのタイミングで開扉されると、庫内温度は一時的に上昇する。そして、ｔｇのタイミングで再び閉扉されると、庫内灯２４は消灯されるが、その間の点灯による加温に加えて、外気の庫内への侵入熱により、冷蔵室４の室温は点灯継続の場合と同様に上昇し、設定温度の下限値に到達するまでの冷却時間を長くすることができる。
【００５８】
したがって、開扉されたことを条件に庫内灯２４を消灯させることにより、冷凍室４の冷却時間を十分に確保することができるとともに、極力、庫内灯２４の点灯時間を短くすることができ、冷凍室３および冷蔵室４の温度補償を的確におこなうことができる。
なお、本実施の形態の場合、開扉時間が短いと侵入熱が少なく、この時点で庫内灯２４を消灯すると冷蔵室４の温度上昇が小さいため、開扉時間が所定時間、例えば３０秒以上開放された場合に、庫内灯２４を消灯させるように制御する方が好ましい。
【００５９】
ステップ４１では、圧縮機１８を駆動させる判断のために、温度センサ２３の検知温度を検出し（Ｓ４１）、設定温度帯の上限値、５℃以上になれば、ステップ４２に進み、圧縮機１８を駆動させる（Ｓ４２）。
ステップ４３では、冷凍室３の冷却不足を迅速に補うため、圧縮機１８と同期して冷却ファン１０を運転する（Ｓ４３）。庫内に冷気を送風する冷却ファン１０を運転させることにより冷気を強制的に循環させて、冷凍室３の冷却不足を迅速に補うことができる。
このとき、高速回転で運転すれば、冷却速度が向上し、さらに冷凍室３の温度補償を確実におこなうことができる。
なお、冷却ファン１０の運転停止、または高速回転の停止タイミングは、圧縮機１８の停止と同期しておこなってもよく、タイマにより所定時間経過した後、停止させてもよい。
【００６０】
ステップ４４では、１サイクルを終了したか否かを検出し（Ｓ４４）、１サイクルを終了すれば、ステップ４６に進み、庫内灯２４を消灯する（Ｓ４６）とともにステップ２１に戻り、これを繰り返す。なお、ステップ４４で１サイクルを検知している間は、庫内灯２４の点灯・消灯制御を除いた冷却運転、すなわち冷蔵室４温度の温度変動によって圧縮機１８の運転制御などは行われている。
【００６１】
１サイクルが終了した時点で、庫内灯２４を消灯させる理由は、以下の通りである。
第２の実施の形態で説明したように、温度センサ２３が庫内灯２４の発熱による影響を直接受ける場合には、温度センサ２３は庫内灯２４近傍の局部的に加温された温度を検知するため、冷蔵室４全体の室温が温度センサ２３の検知温度まで上昇しているわけではない。
したがって、温度センサ２３においては庫内灯２４の点灯による上昇温度を検知するが、実際の冷蔵室４内の温度は検知温度程高くなっておらず、温度センサ２３によって再び冷却を開始しても冷蔵室４は５〜１０分程度で設定温度帯の下限値に達することになるとともに、その次のサイクルにおいても圧縮機１８の停止時間が長くなるため、結局、冷凍室４の冷却不足が徐々に進行することになる。
【００６２】
また、１サイクル、つまり圧縮機１８が停止するまで庫内灯２４を点灯させておくと、温度センサ２３の検知温度が下限値を検知したときには、冷蔵室４全体の温度は下限値を下回っていることになり、貯蔵した食品が凍結する可能性もある。
そこで、本実施の形態においては、温度センサ２３が庫内灯２４の発熱による影響を直接受けない冷蔵庫形態において、１サイクルが終了するまで庫内灯２４を点灯させることによって、圧縮機１８の停止後、冷蔵室４の温度上昇率を高くし、圧縮機１８の停止時間を短くさせることにより、冷凍室４温の上昇幅を小さくすることができ、もって、冷凍室の冷却不足を解消することができる。
【００６３】
具体的には、図１３の動作温度グラフに示すように、ｔｈのタイミングで庫内灯２４を点灯させると、冷蔵室４は急激に温められて、温度センサ２３の検知温度が、設定温度帯の上限値に達し、ｔｉのタイミングで圧縮機１８が駆動する。
このとき、庫内灯２４は点灯し続けているため、冷蔵室４温の下降は緩やかであり、圧縮機１８の運転時間、すなわち冷却時間が長くなる。一方、温度センサ２３の検知温度が設定温度帯の下限値に達し、圧縮機１８がｔｊのタイミング停止されると、庫内灯２４の点灯により、通常よりも早く庫内温度が上昇する。よって、この分、冷凍室４の温度上昇幅を小さくしている。
【００６４】
また、温度センサ２３の検知温度は庫内灯２４の発熱による影響を直接受けていないため、温度センサ２３の検知温度と冷蔵室４空間内の空気温度はほぼ一致しており、温度センサ２３の検知温度が設定温度帯の下限値に達場合に、冷蔵室４空間内の空気温度がさらに下回るようなことはない。つまり、冷蔵室４は常に設定温度帯内に維持され、過冷却となることを防止している。
このとき、内容積と冷却能力との関係により、庫内灯２４を点灯させた場合に、圧縮機１８が駆動した後に運転を再開したとき、または複数サイクルを終えたときに、庫内灯２４を消灯させてもよい。
【００６５】
上記構成によれば、温度センサ２３を庫内灯２４の発熱による影響を直接受けないように配設し、圧縮機１８の停止時間や運転率により庫内灯２４を点灯させた場合に、圧縮機１８が駆動した後に運転を停止したときに、または圧縮機１８が運転と停止の１サイクルまたは所定の複数サイクルを終え再び圧縮機１８が運転されるときに、庫内灯１４を消灯させることにより、冷蔵室温を設定温度帯の上限値に迅速に到達させることができ、もって、圧縮機１８の停止時間を短縮させることができる。したがって、冷却時間を長くして、不冷却時を短くすることができるため、冷凍室３の冷却不足を確実に解消することができる。
【００６６】
この場合、圧縮機１８の停止時のみならず１サイクル又は複数サイクルにおいて継続して冷却しても、温度センサ２３が庫内灯２４の発熱による影響を直接受けないように配設しているため、温度センサ２３の検知温度は冷蔵室空間の温度と一致しており、冷蔵室温は設定温度帯の下限値を下回ることがなく、貯蔵している食品を凍結させることを防止することができる。
本実施の形態においても、必要最小限ときのみに庫内灯２４を点灯させているため、冷蔵室４の冷却が不用に妨げられることを防止することができる。
【００６７】
また、圧縮機１８の停止時間や運転率により庫内灯２４を点灯させた場合は、その後開扉され、再び閉扉されたことを検知したときに、庫内灯２４を消灯させることにより、通常、開扉されると外気が庫内に進入し庫内温度が上昇するため、冷蔵室の室温が上昇し、設定温度の下限値に到達するまでの冷却時間が長くなるため、この開扉されたことを条件に庫内灯２４を消灯させて、冷凍室３の冷却時間を十分に確保することができ、これにより庫内灯２４点灯時間を短くすることができる。もって、冷蔵室４の冷却が不用に妨げられることを防止することができるとともに、過剰な加温を防止することができ、無駄な電力の消費を抑制することができる。
さらに、圧縮機１８の停止時間や運転率により庫内灯２４を点灯させた場合に、庫内に冷気を送風する冷却ファン１０を運転させることにより、冷気を強制的に循環させるため、冷凍室４の冷却不足を迅速に補うことができ、もって、冷凍室３の冷却不足を解消することができる。このとき高速回転で運転することにより、冷却速度をさらに向上させ、冷凍室３の温度補償を確実におこなうことができる。
【００６８】
次に、自動製氷装置を備えた実施形態について説明する。自動製氷装置４１を備えた冷蔵庫の形態の場合は、給水装置４２より製氷皿に給水される水は２℃〜７℃と比較的高温であるため、製氷皿の水の有無によって、冷凍室３の冷却時間は同温度に至るまでに数分長くなる。通常の冷却時では大きな問題とならないが、低外気温時の冷却時間は極めて短いため、製氷皿に水が有れば、冷却の負荷になり冷凍室３の冷却不足に大きな影響を与える。
【００６９】
つまり冷凍室３の冷却不足時、すなわち庫内灯２４を点灯させたときには、冷却の負荷になる給水動作を停止させることにより、冷却の負荷をなくし、短い冷却時間であっても効率よく冷却することができるため、冷凍室３の冷却不足を迅速に補うことができる。
ここで、庫内灯２４を点灯させたときとは、冷凍室３の冷却不足時の冷却制御中、すなわち庫内灯２４を点灯させている間、または庫内灯２４を点灯させた後に圧縮機１８を運転させている間ということである。
【００７０】
また、１サイクルまたは複数サイクルにおいて庫内灯２４を点灯させている場合は、圧縮機１８が停止しているときでも冷凍室３の冷却不足を補うための制御中であるため、再び圧縮機１８が運転されたとき、または庫内灯２４を消灯させて、その後圧縮機１８が停止するまでの間は、給水動作を停止させている方が好ましい。
したがって、圧縮機１８が所定時間以上停止したとき、または圧縮機１８の運転率が低いときに庫内灯２４を点灯させた場合に、給水装置４２による給水動作を行わないことにより、迅速に冷凍室３を冷却させることができる。
【００７１】
以上説明した構成は、本発明の一実施形態であり、種々の組み合わせ、変更が可能である。例えば、誤検知や一時的に冷却不足であると判断して庫内灯２４を点灯させると却って過剰通電となる恐れがあるため、外気温センサ２５が低外気温、ここでは１５℃以下を検知した場合のみに、本発明の制御手段が実行されるようにすれば、さらに、庫内灯２４の過剰通電を防止し、冷蔵室４および冷凍室３の適温化を図ることができる。
【００７２】
また、冷蔵庫の形態は、冷凍室３、冷蔵室４のみでなく、野菜室、パーシャル室、切替室、製氷室などを有する冷蔵庫であっても、なんら本発明の効果には影響を与えるものではなく、庫内灯２４と温度センサ２３の配置位置についても、例えば庫内背面など適宜変更可能である。一方、上述した冷蔵庫の形態では、冷却ファン１０の運転により庫内を冷却するいわゆるファンクールの形態で説明したが、本発明の作用・効果を逸脱しない限り直冷方式やパラレルサイクル、セミパラレルサイクル、２ステージサイクルなど種々の冷蔵庫の形態に適応させることも可能である。
【００７３】
さらに、本実施の形態で示した所定時間、所定温度などについては、冷蔵庫の容積、冷却能力によって適宜変更されるものである。
【００７４】
【発明の効果】
本発明の構成によれば、冷蔵庫の運転状況に応じて冷蔵室および冷凍室の室温を的確に保持することができる。
【図面の簡単な説明】
【図１】本発明の第１の実施の形態における制御手段の動作を示すフローチャートである。
【図２】本発明の第２の実施の形態における制御手段の動作を示すフローチャートである。
【図３】本発明の第３の実施の形態における制御手段の動作を示すフローチャートである。
【図４】本発明の冷蔵庫を示す斜視図である。
【図５】図４の冷蔵庫を示す縦断面図である。
【図６】本発明の庫内灯を備えたユニットケースを示す分解図である。
【図７】本発明の冷蔵庫の制御回路を示すブロック図である。
【図８】本発明の第１の実施の形態の動作温度を示すグラフである。
【図９】本発明の第１の実施の形態の動作温度を示すグラフである。
【図１０】本発明の第２の実施の形態の動作温度を示すグラフである。
【図１１】本発明の第２の制御手段の動作温度を示すグラフである。
【図１２】本発明の第３の実施の形態の動作温度を示すグラフである。
【図１３】本発明の第３の実施の形態の動作温度を示すグラフである。
【図１４】従来の通常時における冷蔵庫の動作温度を示すグラフである。
【図１５】従来の低外気温時における動作温度を示すグラフである。
【図１６】従来の制御手段における動作温度を示すグラフである。
【符号の説明】
１…冷蔵庫本体            ２…断熱箱体              ３…冷凍室
４…冷蔵室                ５…冷凍室扉              ６…冷蔵室扉
１０…冷却ファン          １１…蒸発器              １２…除霜ヒータ
１８…圧縮機              ２０…ユニットケース      ２１…ドアスイッチ
２２…調節器              ２３…温度センサ          ２４…庫内灯
２５…外気温センサ        ３０…制御装置            ３１…運転タイマ
３２…停止タイマ          ３３…書き込み装置        ３４…記憶装置
３５…運転率算出装置      ３６…庫内灯タイマ        ４１…自動製氷装置
４２…給水装置
【図１】
2004251501.tif 000003
【図２】
2004251501.tif 000004
【図３】
2004251501.tif 000005
【図４】
2004251501.tif 000006
【図５】
2004251501.tif 000007
【図６】
2004251501.tif 000008
【図７】
2004251501.tif 000009
【図８】
2004251501.tif 000010
【図９】
2004251501.tif 000011
【図１０】
2004251501.tif 000012
【図１１】
2004251501.tif 000013
【図１２】
2004251501.tif 000014
【図１３】
2004251501.tif 000015
【図１４】
2004251501.tif 000016
【図１５】
2004251501.tif 000017
【図１６】
2004251501.tif 000018